(57)【要約】      （修正有）【課題】より良い立体効果を発揮するプリーツ型マスクを提供する。【解決手段】プリーツ型マスクはマスク本体１および耳掛け部２から構成される。マスク本体１は重なる内層面および外層面２０、上向きプリーツ３１、下向きプリーツ３２、左プリーツ４１および右プリーツ４２を有する。内層面はろ過層を有する。外層面２０は防水層を有する。上向きプリーツ３１および下向きプリーツ３２は同時に内層面および外層面２０に形成される。上向きプリーツ３１は上辺縁部から下かつ内層面の方向に向かって繰り返して畳まれて形成される。下向きプリーツ３２は下辺縁部から上かつ内層面の方向に向かって繰り返して畳まれて形成される。左プリーツ４１および右プリーツ４２は上向きプリーツ３１および下向きプリーツ３２と交差するようにマスク本体１の両側に形成される。耳掛け部２はマスク本体１に連結される。【選択図】図１
0003219815.tif 000002
【実用新案登録請求の範囲】
【請求項１】
マスク本体（１）および耳掛け部（２）から構成され、
前記マスク本体（１）は重なる内層面（１０）および外層面（２０）、上向きプリーツ（３１）、下向きプリーツ（３２）、左プリーツ（４１）および右プリーツ（４２）を有し、
前記内層面（１０）はろ過層を有し、
前記外層面（２０）は防水層を有し、
前記上向きプリーツ（３１）および前記下向きプリーツ（３２）は同時に前記内層面（１０）および前記外層面（２０）に形成され、
前記上向きプリーツ（３１）は上辺縁部から下かつ前記内層面（１０）の方向に向かって繰り返して畳まれて形成され、
前記下向きプリーツ（３２）は下辺縁部から上かつ前記内層面（１０）の方向に向かって繰り返して畳まれて形成され、
前記左プリーツ（４１）および前記右プリーツ（４２）は前記上向きプリーツ（３１）および前記下向きプリーツ（３２）と交差するように前記マスク本体（１）の両側に形成され、
前記耳掛け部（２）は前記マスク本体（１）に連結されることを特徴とする、
プリーツ型マスク。
【請求項２】
前記左プリーツ（４１）および前記右プリーツ（４２）は前記内層面（１０）の方向に向かって畳まれて形成されることを特徴とする請求項１に記載のプリーツ型マスク。
【請求項３】
前記左プリーツ（４１）および前記右プリーツ（４２）は前記外層面（２０）の方向に向かって畳まれて形成されることを特徴とする請求項１に記載のプリーツ型マスク。
【請求項４】
マスク本体（１）および耳掛け部（２）から構成され、
前記マスク本体（１）は重なる内層面（１０）および外層面（２０）、上向きプリーツ（３１）、下向きプリーツ（３２）、左プリーツ（４１）および右プリーツ（４２）を有し、
前記内層面（１０）はろ過層を有し、
前記外層面（２０）は防水層を有し、
前記上向きプリーツ（３１）および前記下向きプリーツ（３２）は同時に前記内層面（１０）および前記外層面（２０）に形成され、
前記上向きプリーツ（３１）は上辺縁部から下かつ前記外層面（２０）の方向に向かって繰り返して畳まれて形成され、
前記下向きプリーツ（３２）は下辺縁部から上かつ前記外層面（２０）の方向に向かって繰り返して畳まれて形成され、
前記左プリーツ（４１）および前記右プリーツ（４２）は前記上向きプリーツ（３１）および前記下向きプリーツ（３２）と交差するように前記マスク本体（１）の両側に形成され、
前記耳掛け部（２）は前記マスク本体（１）に連結されることを特徴とする、
プリーツ型マスク。
【請求項５】
前記左プリーツ（４１）および前記右プリーツ（４２）は前記内層面（１０）の方向に向かって畳まれて形成されることを特徴とする請求項４に記載のプリーツ型マスク。
【請求項６】
前記左プリーツ（４１）および前記右プリーツ（４２）は前記外層面（２０）の方向に向かって畳まれて形成されることを特徴とする請求項４に記載のプリーツ型マスク。
【考案の詳細な説明】
【技術分野】
【０００１】
本考案はマスク、詳しくはプリーツが改良されたマスクに関するものである。
【背景技術】
【０００２】
口および鼻を圧迫しないようにするために、周知の立体マスクは左プリーツおよび右プリーツによって立体構造形状を形成することが一般的である。しかしながら横向きプリーツは単一方向に沿って繰り返して畳まれて形成され、前方に広がる方向および距離が限定されるため、使用者の要求を完全に満足させることができない。
【考案の概要】
【考案が解決しようとする課題】
【０００３】
本考案は上述した欠点に鑑み、プリーツを変えてより良い立体効果を発揮することができるプリーツ型マスクを提供することを主な目的とする。
【課題を解決するための手段】
【０００４】
上述した課題を解決するためのプリーツ型マスクはマスク本体および耳掛け部から構成される。マスク本体は重なる内層面および外層面、上向きプリーツ、下向きプリーツ、左プリーツおよび右プリーツを有する。内層面はろ過層を有する。外層面は防水層を有する。上向きプリーツおよび下向きプリーツは同時に内層面および外層面に形成される。上向きプリーツは上辺縁部から下かつ内層面の方向に向かって繰り返して畳まれて形成される。下向きプリーツは下辺縁部から上かつ内層面の方向に向かって繰り返して畳まれて形成される。左プリーツおよび右プリーツは上向きプリーツおよび下向きプリーツと交差するようにマスク本体の両側に形成される。耳掛け部はマスク本体に連結される。
【０００５】
上述した構造特徴により、上向きプリーツおよび下向きプリーツを上下に広げて立体的に展開すれば口および鼻の空間を確保する効果を達成することができる。
【０００６】
比較的好ましい場合、左プリーツおよび右プリーツは内層面の方向に向かって畳まれて形成される。
【０００７】
比較的好ましい場合、左プリーツおよび右プリーツは外層面の方向に向かって畳まれて形成される。
【０００８】
上述した課題を解決するため、プリーツ型マスクはマスク本体および耳掛け部から構成される。マスク本体は重なる内層面および外層面、上向きプリーツ、下向きプリーツ、左プリーツおよび右プリーツを有する。内層面はろ過層を有する。外層面は防水層を有する。上向きプリーツおよび下向きプリーツは同時に内層面および外層面に形成される。上向きプリーツは上辺縁部から下かつ外層面の方向に向かって繰り返して畳まれて形成される。下向きプリーツは下辺縁部から上かつ外層面の方向に向かって繰り返して畳まれて形成される。左プリーツおよび右プリーツは上向きプリーツおよび下向きプリーツと交差するようにマスク本体の両側に形成される。耳掛け部はマスク本体に連結される。
【０００９】
上述した構造特徴により、上向きプリーツおよび下向きプリーツを上下に広げて立体的に展開すれば口および鼻の空間を確保する効果を達成することができる。
【００１０】
比較的好ましい場合、左プリーツおよび右プリーツは内層面の方向に向かって畳まれて形成される。
【００１１】
比較的好ましい場合、左プリーツおよび右プリーツは外層面の方向に向かって畳まれて形成される。
【図面の簡単な説明】
【００１２】
【図１】本考案の一実施形態によるプリーツ型マスクを示す平面図である。
【図２】図１中の２−２線に沿った断面図である。
【図３】図１中の３−３線に沿った断面図である。
【図４】本考案の別の一実施形態によるプリーツ型マスクを示す平面図である。
【図５】図４中の５−５線に沿った断面図である。
【図６】図４中の６−６線に沿った断面図である。
【図７】本考案の別の一実施形態によるプリーツ型マスクを示す平面図である。
【図８】図７中の８−８線に沿った断面図である。
【図９】図７中の９−９線に沿った断面図である。
【図１０】本考案の別の一実施形態によるプリーツ型マスクを示す平面図である。
【図１１】図１０中の１１−１１線に沿った断面図である。
【図１２】図１０中の１２−１２線に沿った断面図である。
【考案を実施するための形態】
【００１３】
以下、本考案によるプリーツ型マスクを図面に基づいて説明する。
【００１４】
（一実施形態）
図１から図３に示すように、本考案の一実施形態によるプリーツ型マスクはマスク本体１および耳掛け部２から構成される。
【００１５】
マスク本体１は重なる内層面１０および外層面２０と、上向きプリーツ３１と下向きプリーツ３２とを有する。内層面１０はろ過層を有する。外層面２０は防水層を有する。上向きプリーツ３１および下向きプリーツ３２は同時に内層面１０および外層面２０に形成される。上向きプリーツ３１は上辺縁部から下かつ内層面１０の方向に向かって繰り返して畳まれて形成される。下向きプリーツ３２は下辺縁部から上かつ内層面１０の方向に向かって繰り返して畳まれて形成される。
【００１６】
マスク本体１はさらに両側に左プリーツ４１および右プリーツ４２を有する。左プリーツ４１および右プリーツ４２は上向きプリーツ３１および下向きプリーツ３２と交差するように形成されてニーズに応じてマスク本体１の左右両側を適切に突出および変形させることができる。
【００１７】
左プリーツ４１および右プリーツ４２は内層面１０の方向に向かって畳まれて形成される。
【００１８】
耳掛け部２はマスク本体１に連結される。
【００１９】
上述した構造特徴により、上向きプリーツ３１および下向きプリーツ３２を上下に広げて立体的に展開することができる。左プリーツ４１および右プリーツ４２はニーズに応じてマスク本体１の左右両側を適切に突出および変形させることができる。広がったマスク本体１は両側に凹んで形成された凹状溝を有する。凹状溝、左プリーツ４１および右プリーツ４２はマスク本体１に十分な支持力をもたらすため、プリーツ型マスク全体はより突出して立体感を出し、口および鼻の空間を確保する効果、即ち本考案の目的を達成することができる。
【００２０】
（別の一実施形態）
図４から図６は本考案の別の一実施形態によるプリーツ型マスクを示す模式図である。上述した実施形態との違いは下記のとおりである。
【００２１】
本実施形態において、左プリーツ４１および右プリーツ４２は外層面２０の方向に向かって畳まれて形成され、上述した実施形態と同様に本考案の目的を達成できる。
【００２２】
（別の一実施形態）
図７から図９に示すように、本考案の別の一実施形態によるプリーツ型マスクはマスク本体１および耳掛け部２から構成される。
【００２３】
マスク本体１は重なる内層面１０および外層面２０と、上向きプリーツ３１と下向きプリーツ３２とを有する。内層面１０はろ過層を有する。外層面２０は防水層を有する。上向きプリーツ３１および下向きプリーツ３２は同時に内層面１０および外層面２０に形成される。上向きプリーツ３１は上辺縁部から下かつ外層面２０の方向に向かって繰り返して畳まれて形成される。下向きプリーツ３２は下辺縁部から上かつ外層面２０の方向に向かって繰り返して畳まれて形成される。
【００２４】
マスク本体１はさらに両側に左プリーツ４１および右プリーツ４２を有する。左プリーツ４１および右プリーツ４２は上向きプリーツ３１および下向きプリーツ３２と交差するように形成されてニーズに応じてマスク本体１の左右両側を適切に突出および変形させることができる。
【００２５】
左プリーツ４１および右プリーツ４２は内層面１０の方向に向かって畳まれて形成される。
【００２６】
耳掛け部２はマスク本体１に連結される。
【００２７】
上述した構造特徴により、上向きプリーツ３１および下向きプリーツ３２を上下に広げて立体的に展開することができる。左プリーツ４１および右プリーツ４２はニーズに応じてマスク本体１の左右両側を適切に突出および変形させることができる。広がったマスク本体１は両側に突出して形成された凸状部を有する。凸状部、左プリーツ４１および右プリーツ４２はマスク本体１に十分な支持力をもたらすため、プリーツ型マスク全体はより突出して立体感を出し、口および鼻の空間を確保する効果、即ち本考案の目的を達成することができる。
【００２８】
（別の一実施形態）
図１０から図１２は本考案の別の一実施形態によるプリーツ型マスクを示す模式図である。上述した実施形態との違いは下記のとおりである。
【００２９】
本実施形態において、左プリーツ４１および右プリーツ４２は外層面２０の方向に向かって畳まれて形成され、上述した実施形態と同様に本考案の目的を達成できる。
【００３０】
以上、本考案は、上記実施形態になんら限定されるものではなく、考案の趣旨を逸脱しない範囲において種々の形態で実施可能である。
【符号の説明】
【００３１】
１  マスク本体
２  耳掛け部
１０  内層面
２０  外層面
３１  上向きプリーツ
３２  下向きプリーツ
４１  左プリーツ
４２  右プリーツ
【図１】
0003219815.tif 000003
【図２】
0003219815.tif 000004
【図３】
0003219815.tif 000005
【図４】
0003219815.tif 000006
【図５】
0003219815.tif 000007
【図６】
0003219815.tif 000008
【図７】
0003219815.tif 000009
【図８】
0003219815.tif 000010
【図９】
0003219815.tif 000011
【図１０】
0003219815.tif 000012
【図１１】
0003219815.tif 000013
【図１２】
0003219815.tif 000014